(57)【要約】      （修正有）【課題】水ポンプの電気部分及びリードを水と分離することにより安全性を向上させるとともに、配線構造が簡単な給水器を提供する。【解決手段】給水器は、貯水室と、貯水室内に設けられ、貯水室に連通し、貯水室との連通箇所に作動チャンバーが形成されている吐水管と、貯水室の下側に設けられ、作動チャンバーと互に隔離している隔離室と、固定子が隔離室内に設けられ、インペラと回転子が作動チャンバー内に設けられ、回転子がインペラに接続され、固定子に隣接して設けられる水ポンプと、を備える。【選択図】図１
0003230290.tif 000002
【実用新案登録請求の範囲】
【請求項１】
貯水室と、前記貯水室内に設けられ、前記貯水室に連通し、前記貯水室との連通箇所に作
動チャンバーが形成されている吐水管と、貯水室の下側に設けられ、前記作動チャンバー
と互に隔離している隔離室と、固定子が前記隔離室内に設けられ、インペラと回転子が前
記作動チャンバー内に設けられ、前記回転子が前記インペラに接続され、前記固定子に隣
接して設けられる水ポンプと、を備える、ことを特徴とする給水器。
【請求項２】
前記作動チャンバーの最上部には、前記貯水室と連通するための第１の開口が設けられる
、ことを特徴とする請求項１に記載の給水器。
【請求項３】
前記固定子は磁励コイルであり、前記回転子は永久磁石である、ことを特徴とする請求項
１に記載の給水器。
【請求項４】
前記作動チャンバーは、最上部が開放したベースと、前記ベースとマッチングして接続さ
れ、前記吐水管の丸管部分と一体成形されているトップカバーと、を備える、ことを特徴
とする請求項１に記載の給水器。
【請求項５】
前記固定子に電気的に接続され、外部コネクタに接続される電源インターフェースをさら
に備える、ことを特徴とする請求項１に記載の給水器。
【請求項６】
前記吐水管と連通している吐水蓋をさらに備える、ことを特徴とする請求項１に記載の給
水器。
【請求項７】
前記吐水蓋の下側に設けられ、且つ前記貯水室内に位置するフィルタエレメントをさらに
備えることを特徴とする請求項６に記載の給水器。
【請求項８】
貯水室の上部に位置し、フィルタエレメントと吐水蓋を支持して固定する働きを果たす透
明蓋と、前記隔離室の下側に設けられたボトムカバーと、をさらに備える、ことを特徴と
する請求項７に記載の給水器。
【請求項９】
前記作動チャンバーはＴ字形構造とされている、ことを特徴とする請求項６に記載の給水
器。
【考案の詳細な説明】
【技術分野】
【０００１】
本願は、給水器の分野に関し、具体的には、給水器に関する。
【背景技術】
【０００２】
考案者は、給水器では、リードを用いて水槽に通電することで水ポンプに通電して水のポ
ンピングを行うため、水と電気が分離してしまい、その結果、電気製品の防水やメンテナ
ンスが困難になることを見出した。従来の製品には、主に以下の欠陥が存在する。リード
の防水が困難であり、安全上のリスクが存在すること、リードが破損して電気漏れを引き
起こしやすく、安全上のリスクが存在すること、シリンダがワイヤ及び水ポンプに接続さ
れているので、取り外されにくく、人為的に損壊されやすく、洗浄されにくいこと、多く
の固定や組み立ての操作を必要とし、水槽の底部には、クリーニングしにくいコーナーな
どの部位が多いこと、利用できなくなるまでの水位が高く、大量の水が無駄になること。
【０００３】
水ポンプの電気部分及びリードが水と分離していないことにより安全上のリスクが生じた
り、配線構造が複雑であったりするという関連技術の問題については、現在のことろ、満
足のいく解決手段がなかった。
【考案の概要】
【考案が解決しようとする課題】
【０００４】
本願の主な目的は、水ポンプの電気部分及びリードが水と分離しておらず、且つ配線構造
が複雑であることにより安全上のリスクが生じたり、クリーニングしにくいという問題を
解決するために、給水器を提供することである。
【課題を解決するための手段】
【０００５】
上記目的を実現するために、本願の一態様によれば、給水器を提供する。
【０００６】
本願に係る給水器は、貯水室と、前記貯水室内に設けられ、前記貯水室に連通し、前記貯
水室との連通箇所に作動チャンバーが形成されている吐水管と、貯水室の下側に設けられ
、前記作動チャンバーと互に隔離している隔離室と、固定子が前記隔離室内に設けられ、
インペラと回転子が前記作動チャンバー内に設けられ、前記回転子が前記インペラに接続
され、前記固定子に隣接して設けられる水ポンプと、を備える。
【０００７】
さらに、前記作動チャンバーの最上部には、前記貯水室と連通するための第１の開口が設
けられる。
【０００８】
さらに、前記固定子は磁励コイルであり、前記回転子は永久磁石である。
【０００９】
さらに、前記作動チャンバーは、最上部が開放したベースと、前記ベースとマッチングし
て接続され、前記吐水管の丸管部分と一体成形されているトップカバーと、を備える。
【００１０】
さらに、前記固定子に電気的に接続され、外部コネクタに接続される電源インターフェー
スをさらに備える。
【００１１】
さらに、前記吐水管と連通している吐水蓋をさらに備える。
【００１２】
さらに、前記吐水蓋の下側に設けられ、且つ前記貯水室内に位置するフィルタエレメント
をさらに備える。
【００１３】
さらに、貯水室の上部に位置し、フィルタエレメントと吐水蓋を支持して固定する働きを
果たす透明蓋と、前記隔離室の下側に設けられたボトムカバーと、をさらに備える。
【００１４】
さらに、前記作動チャンバーはＴ字形構造とされている。
【考案の効果】
【００１５】
本願の実施例では、水と電気を分離する方式を採用し、貯水室と、前記貯水室内に設けら
れ、前記貯水室に連通し、前記貯水室との連通箇所に作動チャンバーが形成されている吐
水管と、貯水室の下側に設けられ、前記作動チャンバーと互いに隔離している隔離室と、
固定子が前記隔離室内に設けられ、インペラと回転子が前記作動チャンバー内に設けられ
、前記回転子が前記インペラに接続され、前記固定子に隣接して設けられる水ポンプとに
よって、水ポンプの固定子、リード及び貯水室内の水を互いに分離するという目的を達成
させ、それにより、安全上のリスクを解消し、また、複雑な配線構造を必要としないよう
にするという技術的効果を奏し、水ポンプの電気部分及びリードが水と分離していないこ
とにより安全上のリスクウが生じたり、配線構造が複雑であったりするという技術的課題
を解決する。
【図面の簡単な説明】
【００１６】
本願の一部を構成する図面は本願をさらに理解するために提供され、本願の他の特徴、目
的及び利点をより明らかにする。本願の模式的な実施例の図面及びその説明は本願を解釈
するために使用され、本願を不適に限定するものではない。
【図１】本願実施例に係る給水器の部分模式図である。
【図２】本願実施例に係る給水器の断面模式図である。
【図３】本願実施例に係る給水器の構造模式図。
【考案を実施するための形態】
【００１７】
当業者が本願の技術案をよりよく理解できるように、以下、本願実施例の図面を参照しな
がら、本願実施例の技術案を明瞭かつ完全に説明するが、勿論、説明する実施例は本願の
実施例の一部に過ぎず、すべての実施例ではない。当業者が本願の実施例に基づいて創造
的な努力を必要とせずに想到し得る他のすべての実施例は、本願の特許範囲に属する。
【００１８】
なお、本願の明細書、特許請求の範囲及び上記図面の用語「第１の」、「第２の」などは
、類似する対象を区別するために過ぎず、特定の順番又は優先順位を説明するとは限らな
い。なお、本願の実施例を簡便に説明するために、このように使用されるデータは適切な
場合には交換して使用できる。さらに、用語「備える」、「有する」及びこれらの任意の
変形は、非排他的な包含をカバーすることを意図し、例えば、一連のステップ又はユニッ
トを含むプロセス、方法、システム、製品又は機器は、明記されたこれらのステップ又は
ユニットに制限されず、明示的に挙げられていない又はこのようなプロセス、方法、製品
又は機器に固有のほかのステップ又はユニットを含むことができる。
【００１９】
本願では、用語「上」、「下」、「左」、「右」、「前」、「後」、「頂」、「底」、「
内」、「外」、「中」、「垂直」、「水平」、「横方向」、「縦方向」などにより示され
る向き又は位置関係は図面に示す向き又は位置関係に基づくものである。これらの用語は
主に本考案及びその実施例を確実に説明するために過ぎず、当該装置、素子又は構成部品
が特定の向きを有したり、特定の向きで構造又は操作したいするように限定するものでは
ない。
【００２０】
さらに、上記用語の一部は、向き又は位置関係に加えて、他の定義を示すこともでき、例
えば、場合によって、用語「上」は依存関係や接続関係を示す。当業者であれば、具体的
な状況に応じてこれらの用語の本考案での定義を理解できる。
【００２１】
また、用語「取り付け」、「設けられる」、「設けられている」、「接続」、「連結」、
「套設」は広義に理解すべきである。例えば、固定して接続してもよく、取り外し可能に
接続してもよく、一体構造としてもよい。機械的に接続してもよく、電気的に接続しても
よい。直接連結してもよく、中間部材を介して連結してもよく、又は２つの装置、素子又
は構成部材の内部が連通してもよい。当業者であれば、具体的な状況に応じてこれらの用
語の本考案での定義を理解できる。
【００２２】
なお、矛盾しない限り、本願の実施例及び実施例の特徴を互いに組み合わせることができ
る。以下、図面を参照しながら実施例にて本願を詳細に説明する。
【００２３】
図１〜３に示すように、本願は給水器に関し、該給水器は、貯水室と、前記貯水室内に設
けられ、前記貯水室に連通し、前記貯水室との連通箇所に作動チャンバーが形成されてい
る吐水管と、貯水室の下側に設けられ、前記作動チャンバーと互いに隔離している隔離室
と、固定子が前記隔離室内に設けられ、インペラと回転子が前記作動チャンバー内に設け
られ、前記回転子が前記インペラに接続され、前記固定子に隣接して設けられる水ポンプ
と、を備える。
【００２４】
具体的には、貯水室は飲用対象の水を貯蔵することに用いられ、なお、本実施例の給水器
は、特にペットへの給水に用いられる。
【００２５】
吐水管は、水を外部に送り、ペットに給水することに用いられ、その一端が吐水蓋に連通
している吐水口を有し、他端が貯水室に連通しており、水が管内の給水口に入るようにす
る。
【００２６】
作動チャンバーは、水ポンプのブレード、回転子が作動するスペースとして機能し、吐水
管の部分であり、且つ給水口が作動チャンバーにあり、本実施例では、好ましくは、吐水
管はＬ字形とされており、底部の後端に該作動チャンバーが形成されている。本実施例で
は、好ましくは、前記作動チャンバーは、最上部が開放したベースと、前記ベースとマッ
チングして接続され、前記吐水管の丸管部分と一体成形されるトップカバーと、を備え、
ベースは、トップカバーを係合する役割を果たし、またトップカバーを取り外し可能にす
るという目的を達成させ、それにより、簡単な着脱が可能になり、また、ベースの内部が
ブレードを収納するスペースとなり、丸管部分とトップカバーは金型を用いてＬ字形に一
体成形される。ベースよりも下方には回転子を収納するスペースがある。好ましくは、前
記作動チャンバーは、Ｔ字形構造であり、その上部が、ブレードを収容可能なベースの内
部スペースとなり、その下部が回転子を収容するスペースとなる。
【００２７】
本実施例では、好ましくは、前記作動チャンバーの最上部には、前記貯水室に連通するた
めの第１の開口が設けられ、第１の開口は給水口であり、水がこの口から作動チャンバー
に入り、水ポンプの作動により吐水管の丸管に送られて、最上部から吐出される。
【００２８】
隔離室は、水ポンプの固定子部分を設けるものであり、作動チャンバーの下部の周囲にあ
るスペースは隔離室となり、このようにして、貯水室内の水が作動チャンバーに入った後
、固定子と作動チャンバー内の水が互いに隔離しており、それにより、水／電気分離が実
現され、このため、貯水室内にリード構造を配置しくなくてもよいので、配線がきちんと
しており、リードに必要な固定構造が不要になるので、配線が複雑であることによりクリ
ーニングされにくいという状況が避けられる。隔離室が貯水室の下側に設けられることに
よって、隔離室に隣接する作動チャンバーの給水口が貯水室の底部に近くなり、このよう
にして、利用不能となる水位が効果的に低下し、また沈殿物が水ポンプにより吸引される
ことはない。
【００２９】
水ポンプの固定子が隔離室内に設けられることにより、水と電気を隔離するという目的を
達成させ、また、リードが隔離室で下側から直接引き出されるので、貯水室の内部からワ
イヤを取り扱うことを回避し、ワイヤの防水についての問題や、ワイヤが破損して電気漏
れを引き起こすことについての懸念がなく、給水器の使用時の安全上のリスクを解消する
。水ポンプの正常な作動を確保するために、水ポンプのブレード、回転子、及び固定子が
隔離室で互いに隔てられ、ブレードが作動チャンバーのベースの内部スペース内に設けら
れ、回転子とブレードが一体に連結され、回転子の回動に連動してブレードが回動駆動さ
れ、このようにして、水のポンピングが行われる。好ましくは、回転子は、回転子軸と回
転子ブッシュとから構成され、回転子ブッシュが回転子軸の周りに回動し、回転子軸が貯
水室の底部とともに一体となるように射出成形される。本実施例では、好ましくは、前記
固定子は磁励コイルであり、前記回転子は永久磁石であり、貯水室に水が供給されると、
水は第１の開口から貯水室に入り、作動チャンバーが水中にあるようになり、磁励コイル
は、通電されると、回転子の永久磁石による磁場と相互作用する駆動磁場を発生させ、回
転子がインペラを回転駆動させ始め、インペラが水流を撹拌して、インペラの中心に負圧
が生じ、水流を吸引して連続的に給水口（第１の開口）から流入させ、インペラの外側で
高圧回転水流を発生させ、高圧領域が生じて、高圧領域での高圧水流が吐水管の丸管に沿
って流れて、吐水管の丸管部分の吐水口から吐出され、このようにして、水のポンピング
は完了する。回転子は、作動するときに水内に浸漬しているが、永久磁石（通電を必要と
しないもの）であるので、固定子のコイルと作用して回動させられることに影響を与えな
い。
【００３０】
なお、本実施例では、インペラは、固定子の上側にあり、インペラの回転子と固定子の回
転軸線に垂直に配置されるが、それは、特許範囲を制限するものと理解できず、たとえば
、インペラと固定子が前、後、左、右に設けられ、インペラの回転子と固定子の回転軸線
が水平に配置されるか、又は他の角度をもって配置され、また作動チャンバーの位置につ
いて対応するように設定される場合も、本願の特許範囲に属する。
【００３１】
以上の説明から、本願が下記技術的効果を実現することは明らかになる。
【００３２】
本願の実施例では、水と電気を分離する方式を採用し、貯水室と、前記貯水室内に設けら
れ、前記貯水室に連通し、前記貯水室との連通箇所に作動チャンバーが形成されている吐
水管と、貯水室の下側に設けられ、前記作動チャンバーと互いに隔離している隔離室と、
固定子が前記隔離室内に設けられ、インペラと回転子が前記作動チャンバー内に設けられ
、前記回転子が前記インペラに接続され、前記固定子に隣接して設けられる水ポンプとに
よって、水ポンプの固定子、リード及び貯水室内の水を互いに分離するという目的を達成
させ、それにより、安全上のリスクを解消し、また、複雑な配線構造を必要としないよう
にするという技術的効果を奏し、水ポンプの電気部分及びリードが水と分離していないこ
とにより安全上のリスクウが生じたり、配線構造が複雑であったりするという技術的課題
を解決する。
【００３３】
本実施例では、好ましくは、前記固定子に電気的に接続され、外部のコネクタに接続され
た電源インターフェースをさらに備える。電源インターフェースは、隔離室の付近、好ま
しくは隔離室の右下側に配置され、このようにすると、複雑な配線を必要とせずに、コネ
クタを該電源インターフェースに差し込むだけで電力を供給することができ、本実施例で
は、好ましくは、前記吐水管に連通している吐水蓋をさらに備える。水ポンプが作動する
と、水が吐水管の丸管部分の吐水口から流出し、吐水蓋の貯水溝に連続的に流れ、過剰な
水がオーバフローして、貯水室に戻り、このように、ペットへ給水する。
【００３４】
本実施例では、好ましくは、前記吐水蓋の下側に設けられ、且つ前記貯水室内に位置する
フィルタエレメントをさらに備える。オーバフローした水が貯水室に戻るまでに、フィル
タエレメントを通過して濾過され、貯水室の導流構造に沿って貯水室に流れる。このよう
に繰り返すと、貯水室内の水を持続的にろ過して、ペットがきれいな水を飲めるようにす
る。
【００３５】
本実施例では、好ましくは、貯水室の上部にあり、フィルタエレメントと吐水蓋を支持し
て固定する働きを果たす透明蓋と、前記隔離室の下側に設けられたボトムカバーと、をさ
らに備える。ボトムカバーにより給水器の底部が平坦になり、つまり、隔離室の設置によ
り、貯水室の底部が部分的に凸出し、底部を平坦にするために、貯水室の長さと幅と同じ
ボトムカバーを設置することにより、底部平坦化の効果を奏し、透明蓋は給水器の透明性
を高め、外観性を改良する。
【００３６】
以上は、本願の好適実施例に過ぎず、本願を制限するものではなく、当業者であれば、本
願に対してさまざまな修正や変化を行うことができる。本願の趣旨及び原則を逸脱するこ
となく行われる修正、等同置換や改良などであれば、すべて本願の特許範囲に属する。
【符号の説明】
【００３７】
１、貯水室
２、吐水管
３、作動チャンバー
４、隔離室
５、水ポンプ
６、固定子
７、インペラ
８、回転子
９、第１の開口
１０、ベース
１１、トップカバー
１２、丸管部分
１３、電源インターフェース
１４、コネクタ
１５、吐水蓋
１６、フィルタエレメント
１７、透明蓋
１８、ボトムカバー
【図１】
0003230290.tif 000003
【図２】
0003230290.tif 000004
【図３】
0003230290.tif 000005